(57)【特許請求の範囲】
【請求項１】
複数のサーバラックを格納するコンテナ型データセンタに実装されるように構成されるマルチモード冷却装置であり、前記データセンタは標準的な輸送コンテナ寸法仕様に構成され、区画された内部空間を画成する壁、天井及び床を有するコンテナ構造を含み、前記内部空間は複数のサーバラックを有し、前記マルチモード冷却装置は前記内部空間を冷却する複数の冷却動作モードでの動作に選択的に適応可能であり、前記マルチモード冷却装置は、
前記コンテナ構造の前記天井に実装されるように構成され、前記サーバラックの上部に密接して位置決めするために前記天井から下向きに延在するように構成される空気処理筐体と、
前記空気処理筐体の第１端に形成され、前記コンテナ型データセンタと連通する入口開口と、
前記入口開口の下流で、前記空気処理筐体内に配置される熱交換器と、
第１動作モードのために前記内部空間から前記筐体に空気を引き込むことを可能にするよう第１位置に位置決めされ、第２動作モードで前記内部空間からの空気が前記筐体に引き込まれるのを制限する第２位置に位置決めされる、前記空気処理筐体に配置される可動の空気誘導部材と、
前記空気誘導部材の下流で、前記空気処理筐体内に配置される空気移動デバイスと
前記空気移動デバイスの下流で且つ前記空気処理筐体の第２端に形成され、前記コンテナ型データセンタと連通する出口開口と、
前記コンテナの外部上に位置決め可能であり、前記天井の少なくとも１つの開口を介して前記内部空間と連通する個別の外気モジュールと、
前記冷却装置は前記コンテナの外部に位置し、前記コンテナの前記天井を通して前記筐体内に位置する高温側熱交換部分に延在する少なくとも１つの連結部を通して連結される少なくとも低温側熱交換部分を有する補助熱交換器と、
を含む、マルチモード冷却装置。
【請求項２】
前記冷却装置は前記空気移動デバイスにより前記内部空間から前記筐体に空気を引き込み、前記熱交換器で前記空気を冷却し、前記筐体から前記内部空間に冷却した空気を排出する閉ループモードで動作可能である、請求項１に記載の冷却装置。
【請求項３】
前記コンテナは前記天井に形成される外気開口を含み、前記冷却装置は前記空気移動デバイスにより前記外気開口を通して外気を引き込み、前記筐体から前記内部空間に前記外気を排出する開ループモードで動作可能である、請求項１または２に記載の冷却装置。
【請求項４】
前記冷却装置は、前記内部空間からの空気が前記筐体に引き込まれ、前記熱交換器により冷却され、前記筐体から前記内部空間に排出される閉ループモードから、前記コンテナの前記天井の事前に画成された開口が開き、外気が前記事前に画成された開口を通して引き込まれ、前記内部空間を冷却するパージモードに転換可能である、請求項１から請求項３までの何れかに記載の冷却装置。
【請求項５】
前記冷却装置は、前記外気モジュールはろ過部材及び少なくとも１つの外気移動デバイスを含む、請求項１から請求項４までの何れかに記載の冷却装置。
【請求項６】
前記補助熱交換器が熱サイフォン、乾燥冷却器、冷水冷却器、蒸発冷却器及び冷却剤型熱交換器の少なくとも１つを含む、請求項１から請求項５までの何れかに記載の冷却装置。
【請求項７】
前記スタンド輸送コンテナ寸法仕様がＩＳＯのＣ輸送コンテナに対応する、請求項１から請求項６までの何れかに記載の冷却装置。
【請求項８】
冷水冷却器または直接膨張冷却器をさらに含む、請求項１から請求項７までの何れかに記載の冷却装置。
【請求項９】
前記空気移動デバイスへのアクセスを提供するためのヒンジパネルをさらに含む、請求項１から請求項８までの何れかに記載の冷却装置。
【請求項１０】
前記筐体の下部周辺に沿って位置するシールをさらに含む、請求項１から請求項９までの何れかに記載の冷却装置。
【請求項１１】
ルーバーをさらに含む、請求項１から請求項１０までの何れかに記載の冷却装置。
【請求項１２】
フィルタをさらに含む、請求項１から請求項１１までの何れかに記載の冷却装置。
【請求項１３】
前記空気移動デバイスがファンを含む、請求項１から請求項１２までの何れかに記載の冷却装置。
【発明の詳細な説明】
【技術分野】
【０００１】
本発明は、冷却液体を実装する適応可能コンテナに関する。
【背景技術】
【０００２】
コンテナ型データセンタは難しい環境管理の課題をもたらす。コンテナは可動することを目的とするため、比較的一定の寸法を有し、サイズを拡張することができない。顧客はより多くの計算能力を各コンテナ型データセンタから要求し続けており、したがって、企画製品はサーバ及び関連設備と周辺のコンテナとの間の最小限の空間を規定するにすぎない。サーバの数、能力及び／または計算能力が上昇した結果、サーバの動作中に生成される熱負荷が上昇する。熱負荷はサーバの高い性能及び寿命を促進するために管理されなければならない。
【０００３】
加えて、広範囲にわたる異なる要件に適合するために、コンテナ型データセンタ用の冷却システムは適応可能であるべきである。例えば、冷却システムは、異なる地理領域ならびに異なる季節及び一日の異なる時間にわたり、十分な冷却を提供するように適応可能であるべきである。顧客のニーズの変化に伴い、コンテナはより少ない数のサーバまたはより多い数のサーバを含む場合があり、これが熱負荷に影響を及ぼし得る。他の種類の設備の変更または技術の進歩が熱負荷にさらに影響を及ぼす場合があり、その結果、要求される冷却能力に影響を及ぼす場合がある。
【発明の概要】
【課題を解決するための手段】
【０００４】
コンテナ型データセンタのための冷却装置は空気処理筐体、少なくとも１つの可動ルーバー、フィルタ及びファンを含む。筐体はコンテナの天井から吊り下げられるよう構成され、少なくとも１つの熱交換器を含む。ルーバーは選択された動作モードに従って筐体内の異なる経路に沿って気流を誘導するように可動である。ファンは筐体に位置し、選択された動作モードに従って制御可能である。熱交換器は閉ループモードでの使用のためにコンテナ内に位置する内蔵水冷循環で構成される。装置は外気をコンテナに引き込むエコノマイザモードでの使用に転換可能である。任意の補助熱交換器要素は、コンテナの外部に位置する低温側熱交換部分と、天井を通り筐体内に位置する高温側熱交換部分への連結部とを有する。
【図面の簡単な説明】
【０００５】
【図１】少なくとも３つの例示される動作モードの間で適応する能力を示す、コンテナ型データセンタ用の冷却装置の模式的な斜視図を示す。
【図２】閉ループ動作モードに適応する冷却装置の実装を示す、コンテナ型データセンタの端面図を示す。
【図３】開ループ動作モードに適応する冷却装置の実装を示す、コンテナ型データセンタの端面図を示す。
【図４】補助熱交換器と共に補助冷却モードでの使用に適応する冷却装置の実装を示す、コンテナ型データセンタの端面図を示す。
【図５Ａ】冷却装置筐体の一実施形態の斜視図を示す。
【図５Ｂ】図５Ａの冷却装置筐体の立面図における断面図を示すが、開位置にあるルーバー、ならびにフィルタの下を通りファンを横方向に通り出口を出る気流経路を示す。
【図５Ｃ】図５Ａと類似する斜視図を示し、修理または交換のためにフィルタを取り除いていることを示す点で異なる。
【図６Ａ】内部構成部品及びその構成を明らかにするために、筐体材料を取り除いた状態の、別の実装による冷却装置の端立面図を示す。
【図６Ｂ】図６Ａの冷却装置の上部平面図を示す。
【図６Ｃ】図６Ａ及び図６Ｂの冷却装置の右側立面図を示す。
【発明を実施するための形態】
【０００６】
異なるモードでの動作に適応可能であり、既存のサーバラック及び他の設備の上部の空間に嵌め込むように構成される天井実装型の筐体を有するコンテナ型データセンタ用の冷却システムの実装を以下に記載する。筐体内では、ファンまたは他の種類のエアムーバが、冷却ユニットを通して空気を引き込み、通常、冷却装置は熱交換器を含む。いくつかの実装では、この熱交換器はコンテナ内の内蔵冷水冷却循環の１部となるように構成される。冷却システムはこの熱交換器を使用して閉ループモードで動作し、コンテナ内の空気を冷却することができる。冷却システムは、さらに閉ループモードと、他の動作モード、例えば外気を引き込む開ループモード及び低温側の熱交換器部分がコンテナの外部に実装された補助熱交換器を使用する補助冷却モードなど、との間で適応可能となることができる。これら及び他の実装をより詳細に以下に記載する。
【０００７】
図１は少なくとも３つの例示されるモード１０４、１０６、１０８で動作するように適応可能なマルチモード冷却システム１０２を含むコンテナ型データセンタ１００の略図を示す斜視図である。代表的なコンテナまたはコンテナ構造１１２は設置面積を画定し、複数のサーバラック１１４及び他の設備を格納するのに役立つ。図示の通り、この実装のサーバラック１１４は略垂直に配向され、コンテナ１１２の略中央の縦軸に沿って配置されるが、多くの他の構成が可能である。
【０００８】
冷却システムまたは装置１０２用の筐体１１６はサーバラック１１４の上部及びコンテナの天井１１８の下部の空間を占めるように構成される。いくつかの実装では、筐体１１６は天井１１８に実装されるか、天井１１８から吊り下げられる。このように、筐体１１６はサーバ、他の設備のために確保される貴重な床空間または設置面積を消費することなく、要員がサーバ及び設備へのアクセスを取得して管理を行うことができることを保証する。
【０００９】
コンテナ１１２は、その天井１１８に加え、側壁１２０、１２２、端壁１２４、１２６及び床１２８を有し、図示の通り、併せて内部１３０を画成する。いくつかの実装では、コンテナ１１２は、例えばＩＳＯのＣコンテナなどの輸送コンテナに一致する寸法を有するが、冷却システム１０２は当然ながら異なるサイズのコンテナ型システムまたは類似システムと共に使用することができるだろう。
【００１０】
冷却装置１０２及びその筐体１１６は図１及び図２〜４に関連してより詳細に記載し、これらは３つの異なる動作モードを示すために端壁１２４を取り除いたデータセンタ１００の個別の端立面図である。筐体１１６は図１では実線で示されており、概してコンテナ１１２の長さの大部分に沿って延在する。入口開口１３２は筐体１１６に第１端１３４に、または第１端１３４の付近に画成される（例えば図２を参照）。例示される実装では、入口開口１３２は筐体１１６の傾斜面に形成される（例えば図５Ａ〜５Ｃをさらに参照）。
【００１１】
筐体内には空気を冷却するための冷却ユニット１３６がある。いくつかの実装では、冷却ユニット１３６は入口開口１３２を通して引き込まれた熱気を受容して冷却するための空気「高温側」及び熱気から熱を受容して消散するための冷却液「低温側」を有する熱交換器１３７を含む。いくつかの実装では、冷却液は冷水であり、熱交換器（本明細書では「冷水冷却器」とも呼ぶ）は、他の熱交換器（複数可）、ポンプ、バルブ、センサ及び他の構成部品を含む従来の冷水ループの他の構成部品に直列に接続される。いくつかの実装では、冷水システムはスタンドアローンの６０トン冷水システムとして記載される。他の実装では、熱交換器１３７はＲ−１３４ａまたは類似の冷却剤を使用する冷却剤型熱交換器であり得る。他の種類の熱交換器を使用することもできる。
【００１２】
矢印で図示する通り、筐体１１６を通して種々の気流循環の残り全体に空気を移動させるファン１３８または他の種類のエアムーバがある。例示される実装では、ファン１３８は筐体１１６の中に空気を引き込み、筐体１１６の第２端１４８に位置する、または第２端１４８付近に位置する出口開口１４６を通して空気を運び出し、コンテナ１１２の内部１３０に空気を運び込む。ルーバー１４０または他の空気誘導デバイスは片側のファン１３８及び出口開口１４６と、反対側の入口開口１３２及び冷却ユニット１３６との間に位置し、所望の動作モードに従って流路を選択的に適応する。図２〜４を参照すると、いくつかの実装では、ルーバー１４０はブレード２つ１４２、１４４を有するが、単一のブレードまたは２つを超えるブレードを使用することも可能であろう。例えば、図１では、ルーバーは３つのブレードを有する。流路に関するさらなる詳細を以下に記載する。
【００１３】
出口開口１４６は特定の開口として設計することができるか、あるいはファン１３８ならびにその取り付け台及び囲いの中及び周辺の空間を含む場合がある。例えば、図５Ａに図示の通り、出口開口の領域に格子または鉄格子１４７を配置することができる。
【００１４】
図２でから最も理解できるように、マルチモード冷却装置１０２及び筐体１１６は、最も背の高いサーバラック（または設備の他の部品）の上面とコンテナの天井１１８との間の空間に緊密に嵌合するように設計される垂直寸法Ｖを有するように設計することができる。いくつかの実装では、図２で図示されるように、筐体１１２の底面１５０は非常に緊密にサーバラック１１４に嵌合するため、２つの間にわずかな隙間Ｇのみが存在する。図示の矢印の方向に流れを促進するように、隙間はシールＳで充填することができ、これは図に示す通り、例えば右から左にサーバラック１１４を通して入り込む流れを含み、隙間Ｇを通る実質的な気流「短絡」を伴わない。ラック１１４の領域内の気流は特定のラックまたはサーバ冷却システム（図示せず）により補われても良い。
【００１５】
図１の左上の図及び図２を参照すると、閉ループ動作モード１０４のために構成されたマルチモード冷却装置が示される。閉ループ動作モードでは、内部１３０からの熱気は、ファン１３８の作用により、入口開口１３２及び冷却ユニット１３６を通り、ルーバー１４０（図示の通り開位置にある）を通して引き込まれる。この工程中、冷却ユニット１３６は冷却ユニットの熱交換器１３７内を循環する冷水への伝熱などにより、熱気を冷却する。冷却された空気は、その後、出口開口１４６を通り筐体から排出され、内部１３０に戻る。気流サイクルは、矢印で図示の通り、空気がサーバラック１１４を通り右から左に流れることで完了する。
【００１６】
図１の右上の図及び図３を参照すると、開ループ冷却モード１０６のために構成されたマルチモード冷却装置が示される。開ループ冷却モードでは、内部１３０の熱気を冷却することは、例えば、より低温の空気などの他の空気を追加することを含む。いくつかの実装では、外気の温度が好ましい場合または他の正当な理由により外気を使用する場合に追加される空気は外気である。
【００１７】
外気を入れるために、筐体１１６及び／またはコンテナ１６２のルーフに少なくとも１つの開口１６４（図３）を形成することができる。大半の場合、ろ過を提供することが望ましく、ろ過とは、本明細書で使用する際には、空気で運ばれる物質（粒子、降水、物体等）ならびに他の望ましくない物体（動物、侵入者等）が開口１６４を通してコンテナに侵入することを防ぐことを広く意味する。したがって、単にコンテナ内に開口を形成することに加え、典型的には１つ以上のろ過要素（１７４で模式的に示す）が設けられる。好都合には、ろ過要素１７４は外気モジュール１６０と呼ばれる個別の筐体に設けることができる。外気モジュール１６０はコンテナ１１２のルーフ上に設置するように設計される。図３を参照すると、外気モジュール１６０は、例えば、空気を側面開口から開口１７２に誘導する（より詳細には以下に記載する）ことを目的とするダクト１６９または他の空気誘導部材を含む場合がある。
【００１８】
図１を参照すると、いくつかの実装では、筐体１１６／ルーフ１６２に形成される第１開口１６６及び第２開口１６８、ならびに外気モジュール１６０に形成される位置合わせされた第１開口１７０及び第２開口１７２がある。このように、外気モジュール１６０を通る良好な循環を達成することができる。例示された実装では、ルーバー１４０は開ループ動作モードのために閉位置に変更され、これにより、熱気が内部１３０から引き込まれ、冷却ユニット１３６を通り、開口１６６、１７０を通り、外気モジュール１６０に入り込み、モジュール１６０を通り、より冷たい外気と混ざり開口１７２、１６８を通して筐体１１２に戻り、出口開口１４６を通りより冷たい空気として出る。
【００１９】
冷却ユニット１３６は通常、開ループモード中に動作することができ、この場合、より冷たい外気の追加は、通常提供する冷却を補うための冗長化された冷却として役立つ。代替的には、例えば、条件が許す際または緊急時（例えば、冷却ユニット１３６が故障した際）などの外気のみを使用する態様において、冷却ユニット１３６は動作する必要がない。いくつかの実装では、さらに外気モジュール１６０に熱交換器を含めることも可能であろう。
【００２０】
図１の下中央の図及び図４を参照すると、補助冷却モード１０８で構成されたマルチモード冷却装置が示される。補助冷却モードでは、システムは上に記載した閉ループ動作モードとして構成されるが、追加の冷却は補助冷却ユニット１９０により提供される。いくつかの実装では、補助冷却ユニット１９０は、コンテナ１１２の外部に位置する少なくとも１つの低温側熱交換部分１９４を含む補助熱交換器１９２を有する。熱交換器１９２の高温側熱交換部分１９６は筐体内に位置する。図１及び図４に模式的に図示する通り、連結部１９８は低温側熱交換部分１９４と高温側熱交換部分１９６の機能を共に結合する。冷却ユニット１３６により冷却された空気は、さらに熱交換器１９２により冷却された後、ファンの作用によりルーバー１４０を通して流れ、より冷たい空気として内部１３０に出る。
【００２１】
補助熱交換器１９２は熱サイフォン（例えば、熱パイプ）、冷水冷却器、直接膨張冷却器及び／または他の形態の冷却剤型熱交換器であっても良い。既知の通り、直接膨張冷却器／システムは従来の冷却剤蒸気膨張／圧縮サイクルを使用する。いくつかの実装では、補助熱交換器１９２は、例えば、条件が許す場合及び／または冷却ユニット１３６が故障した際などでは、冷却ユニット１３６を動作することなく動作することができる。
【００２２】
図５Ａ、図５Ｂ、図５Ｃはマルチモード冷却装置１０２／筐体１１２ならびに内部構成部品及び機能の種々の図である。筐体１１６は板金または別の適切な材料で作成することができる。図５Ｂの断面立面図に示す通り、筐体１１２を通る流れを改善するために１つ以上の内部空気誘導面１５２を追加することができる。図５Ａでは、ルーバー１４０が閉位置で示される。図５Ｂ及び図５Ｃでは、ルーバー１４０が開位置で示される。図示の通り、フィルタ１４１は略水平に位置することができ、筐体内の気流経路は、フィルタ１４１を通して流れを下向きに移動させた後、ファン１３８及び出口開口１４６の横方向に移動するように構成することができる。
【００２３】
筐体１１６はファン１３８を覆うヒンジ部分を有し、ヒンジ部分は冷却装置１０２全体を分解することなくファン及び他の構成部品の修理を可能にする。フィルタ１４１を略水平に配向することにより、フィルタ１４１は、図５Ｃに図示する通り、ヒンジ部分を外す（または分離する）ことにより、（清掃または交換などのために）筐体から取り除くことができる。加えて、筐体１１６の垂直寸法を拡大する必要なく、必要なろ過能力を提供することができる。
【００２４】
図６Ａ、図６Ｂ、図６Ｃは別の実装によるマルチモード冷却装置２０２の断面端立面図、上部平面図及び右側立面図をそれぞれ示す。全体的に図６Ａ〜図６Ｃの参照番号は上に記載した対応する要素と同じ番号に１００を足した番号を有する。図６Ａから理解できるように、筐体２１６は冷却ユニット２３６の下方で底面２５０と位置合わせされた水平ドリップトレイを含む場合がある。熱交換器２３７のための液体側連結部は図６Ａから理解できる。図６Ｂ及び図６Ｃから最も理解できるように、冷却装置は４つのファン２３８を含む。
【００２５】
一般的に冷却ユニット１３６の熱交換器１３７は冷水冷却器または直接膨張冷却器であるが、当然ながら他の冷却技術が可能である。一般的に熱交換器１９２は熱サイフォン、冷水冷却器、直接膨張冷却器または他の種類の冷却剤型熱交換器である。Ｉｎｅｒｔｅｃｈが市販する、水の代わりに「標準的な冷却剤」を使用し、意図的にエネルギー費用を大幅に節約する伝熱冷却システムなどの、いわゆる伝熱冷却技術を実装することも可能である。
【００２６】
本開示の実施形態は以下の条項を考慮して記載することができる。
１．コンテナデータセンタで使用するための冗長化された冷却動作モードを提供するように適応可能であり、
前記コンテナデータセンタのためのコンテナ構造の天井に隣接して位置するように構成される筐体と、
前記筐体の第１端に形成され、前記コンテナ構造の内部と連通する空気入口開口と、
前記空気入口の下流の前記筐体内に位置する冷却ユニットと、
前記冷却ユニットの下流の前記筐体内に位置するフィルタと、
前記筐体内ならびに前記空気入口、前記冷却ユニット及び前記フィルタの下流に位置する少なくとも１つのファンであり、選択された動作モードに従って空気の動きを生成するように制御可能である前記ファンと、
前記ファンの下流の前記筐体の第２端に形成され、前記コンテナ構造の内部と連通する空気出口開口と、
前記筐体に配置されるルーバーであり、前記ルーバーの片側の前記空気入口開口及び前記冷却ユニットと、前記ルーバーの反対側の前記フィルタ、前記ファン及び前記空気出口との間に位置し、前記空気入口、前記冷却ユニット、前記フィルタ、前記ファン及び前記空気出口の間の気流経路を確立する少なくとも第１開位置と、第２閉位置との間を移動するように制御可能な前記ルーバーと、
前記コンテナ構造の外部に位置決め可能な外気モジュールであり、前記外気モジュールは外気入口と、前記外気入口の下流に位置する少なくともろ過及び侵入部材とを有し、前記筐体は前記外気モジュールと前記筐体との間の空気を交換するために選択的に開閉可能な前記筐体の上面に形成される少なくとも１つの上面開口を有する、前記外気モジュールと、
前記コンテナ構造の外部に位置決め可能な低温側熱交換部分と、前記筐体内ならびに前記空気入口、前記冷却ユニット、前記ファン及び前記出口開口の前記気流経路内に位置決め可能な高温側熱交換部分とを有する補助熱交換器とを含み、
第１閉ループモードでは、前記ルーバーが開き、前記ファンが前記第１入口開口、前記冷却ユニット及び前記フィルタを通り前記コンテナの前記内部から空気を引き込み、前記空気出口開口を通して前記コンテナ構造の前記内部に冷却された空気を運び込むように動作可能であり、
第２開ループモードでは、前記ルーバーが閉じ、前記上面開口が開き、前記ファンは前記外気入口及び前記外気モジュールの前記ろ過及び侵入部材を通り、前記筐体に外気を引き込み、ならびに前記フィルタ及び前記空気出口開口を通り前記コンテナ構造の前記内部に外気を引き込むように動作可能であり、
第３補助冷却モードでは、前記ルーバーが開き、前記ファンは前記第１入口開口、前記冷却ユニット、前記補助熱交換器の前記高温側熱交換部分及び前記フィルタを通して前記コンテナ構造の前記内部から空気を引き込むように動作可能であり、前記空気出口開口を通して前記コンテナ構造の前記内部に冷却された空気を運び込むように動作可能である、マルチモード冷却装置。
【００２７】
２．前記冷却装置が冷水冷却器及び直接膨張冷却器の少なくとも１つを含む、条項１に記載のマルチモード冷却装置。
【００２８】
３．前記補助熱交換器が熱サイフォン、冷水冷却器、直接膨張冷却器及び冷却剤型熱交換器の少なくとも１つを含む、先行条項のいずれかに記載のマルチモード冷却装置。
【００２９】
４．前記外気ユニットが空気を前記外気ユニットから前記筐体に移動するのを支援するための少なくとも１つの外部ファンを含む、先行条項のいずれかに記載のマルチモード冷却装置。
【００３０】
５．前記外気ユニットが少なくとも１つの熱交換器を含む、先行条項のいずれかに記載のマルチモード冷却装置。
【００３１】
６．前記上面開口が上面入口開口及び個別の上面出口開口を含む、先行条項のいずれかに記載のマルチモード冷却装置。
【００３２】
７．前記筐体が前記ファンへのアクセスを提供するためのヒンジパネルを含む、先行条項のいずれかに記載のマルチモード冷却装置。
【００３３】
８．気流のために天井開口を露出するように取り外し可能な天井パネルをさらに含む、先行条項のいずれかに記載のマルチモード冷却装置。
【００３４】
９．前記筐体の下部周辺及び前記筐体の下部に位置するサーバラックの少なくとも１部に沿って位置するシールをさらに含む、先行条項のいずれかに記載のマルチモード冷却装置。
【００３５】
１０．前記筐体がサーバラックの上部及び前記コンテナの前記天井の下部の垂直空間に緊密に嵌合する垂直寸法を有するように設計される、先行条項のいずれかに記載のマルチモード冷却装置。
【００３６】
１１．複数のサーバラックを格納し、
標準的な輸送コンテナ寸法仕様に構成され、区画された内部空間を画成する壁、天井及び床を有するコンテナ構造と、
前記内部空間に配置される複数のサーバラックと、
前記内部空間を冷却するために複数の冷却動作モードで動作するように選択的に適応可能な内蔵マルチモード冷却装置であり、前記冷却装置は前記コンテナ構造の前記天井に実装される空気処理筐体と、熱交換器と、空気移動デバイスとを有し、前記筐体は前記サーバラックの上部の空間に緊密に位置決めするために前記天井から下向きに延在する、前記内蔵マルチモード冷却装置と
を含む、コンテナ型データセンタ。
【００３７】
１２．前記冷却装置は前記空気移動デバイスにより前記内部空間から前記筐体に空気を引き込み、前記熱交換器で前記空気を冷却し、前記筐体から前記内部空間に冷却した空気を排出する閉ループモードで動作可能である、条項１１に記載のコンテナ型データセンタ。
【００３８】
１３．前記コンテナの天井に形成される外気開口をさらに含み、前記冷却装置は前記空気移動デバイスにより前記外気開口を通して外気を引き込み、前記筐体から前記内部空間に前記外気を排出する開ループモードで動作可能である、条項１１または１２に記載のコンテナ型データセンタ。
【００３９】
１４．前記筐体は可動の空気誘導部材を含み、前記可動の空気誘導部材は、第１動作モードのために前記内部空間から前記筐体に空気を引き込むことを可能にするよう第１位置に位置決めされ、第２動作モードで前記内部空間からの空気が前記筐体に引き込まれるのを制限する第２位置に位置決めされる、条項１１〜１３のいずれかに記載のコンテナ型データセンタ。
【００４０】
１５．前記冷却装置は、前記内部空間からの空気が前記筐体に引き込まれ、前記熱交換器により冷却され、前記筐体から前記内部空間に排出される閉ループモードから、前記コンテナの前記天井の事前に画成された開口が開き、外気が前記事前に画成された開口を通して引き込まれ、前記内部空間を冷却するパージモードに転換可能である、条項１１〜１４のいずれかに記載のコンテナ型データセンタ。
【００４１】
１６．前記冷却装置は、前記コンテナの外部上に位置決め可能であり、前記天井の少なくとも１つの開口を介して前記内部空間と連通する個別の外気モジュールを含むように拡張可能であり、前記外気モジュールはろ過部材及び少なくとも１つの外気移動デバイスを有する、条項１１〜１５のいずれかに記載のコンテナ型データセンタ。
【００４２】
１７．前記冷却装置は前記コンテナの外部に位置し、前記コンテナの前記天井を通して前記筐体内に位置する高温側熱交換部分に延在する少なくとも１つの連結部を通して連結される少なくとも低温側熱交換部分を有する補助熱交換器を含むように拡張可能である、条項１１〜１６のいずれかに記載のコンテナ型データセンタ。
【００４３】
１８．前記補助熱交換器が熱サイフォン、乾燥冷却器、冷水冷却器、蒸発冷却器及び冷却剤型熱交換器の少なくとも１つを備える、条項１７に記載のコンテナ型データセンタ。
【００４４】
１９．前記スタンド輸送コンテナ寸法仕様がＩＳＯのＣ輸送コンテナに対応する、条項１１〜１８のいずれかに記載のコンテナ型データセンタ。
【００４５】
２０．前記コンテナの天井から吊り下げ、少なくとも１つの熱交換器を含むように構成される空気処理筐体と、
選択された動作モードに従って前記筐体内の異なる経路に沿って気流を誘導するための少なくとも１つの可動ルーバーと、
前記筐体に位置し、前記選択された動作モードに従って制御可能なファンと
を備え、
前記熱交換器は前記コンテナ内に位置する内蔵水冷循環で構成され、前記装置は外気を前記コンテナに引き込むエコノマイザモードで使用するために転換可能である、
コンテナ型データセンタ用の冷却装置。
【００４６】
２１．前記コンテナの外部に位置する低温側熱交換部分と、前記コンテナの前記天井を通して前記筐体内に位置する高温側熱交換部分への連結部とを有する補助熱交換器要素をさらに含む、条項２０に記載の冷却装置。
【００４７】
いくつかの開示された方法の動作は提示の便宜上、特定の連続順序で記載されたが、この記載方法は、特定の順序が以下の特定の文言により要求されない限り、再配置も包含することを理解するべきである。例えば、連続的に記載した動作は、いくつかの場合には、同時に再配置されるか、または実行され得る。さらに、簡単性のために、添付の図面は、開示の方法が他の方法と関連して使用することができる種々の方法を示さない場合がある。
【００４８】
開示の方法、装置及びシステムは、限定と解釈されるべきではない。むしろ、本開示は、単独で及び互いの種々の組み合わせ及び部分的な組み合わせで種々の開示の実施形態のあらゆる新規及び非自明の機能及び態様に関する。開示の方法、装置及びシステムは、特定の態様もしくは特徴またはそれらの組み合わせに限定されず、開示の実施形態は１つ以上の特定の利点が存在すること、あるいは１つ以上の問題を解決することを必要としない。
【００４９】
開示の原理を適用し得る多くの可能な実施形態に照らし、例示の実施形態は単なる好適な例であり、保護範囲を限定するものと考えられるべきではないことを認識すべきである。むしろ、保護範囲は添付の請求の範囲によって定められる。したがって、出願人は、これらの請求の範囲の範囲内に包含されるもの全てを請求する。
【図１】
0006293355.tif 000002
【図２】
0006293355.tif 000003
【図３】
0006293355.tif 000004
【図４】
0006293355.tif 000005
【図５Ａ】
0006293355.tif 000006
【図５Ｂ】
0006293355.tif 000007
【図５Ｃ】
0006293355.tif 000008
【図６Ａ】
0006293355.tif 000009
【図６Ｂ】
0006293355.tif 000010
【図６Ｃ】
0006293355.tif 000011